(57)【特許請求の範囲】
【請求項１】
衣服の一部に名札保持部が設けられ、この名札保持部には、名札に設けられた安全ピンのシャフト部を、その長手方向の直角の方向から差し込んで脱着可能に係止することが可能な溝状の係止部が設けられていることを特徴とする名札保持部付き衣服。
【請求項２】
名札保持部は上衣の胸ポケットの前側に設けられていることを特徴とする請求項１に記載の名札保持部付き衣服。
【発明の詳細な説明】
【０００１】
【発明の属する技術分野】
この発明は、小学校や中学校等において採用されている名札を脱着可能に保持するための名札保持部を備えた衣服に関する。
【０００２】
【従来の技術】
一般に小学校や中学校においては、通学用として所定の制服が定められいる。そして通学する児童や生徒は、その各学校が指定する所定の名札を購入し、この名札を制服の上衣の胸ポケットの前側に取り付けて通学するようにしている。
【０００３】
一般にこの種の名札には安全ピンが取り付けられていて、各自がその安全ピンの針先を開き、制服の上衣の胸ポケットの前側にその針先を刺し通して装着し、また不要時には安全ピンの針先を抜き取って取り外すようになっている。
【０００４】
ところが、安全ピンの抜き差しが繰り返されると、長期間のうちに衣服の生地が傷んで比較的大きな穴が生じ、外観が損なわれてしまうという問題がある。
そこで、実開昭５５−１５１８２４号公報や実開昭５８−１３１９１２号公報に見られるように、上衣の胸ポケットの前側に、ループ状に二つ折りにした布製のテープを縫着し、このテープのループ内に安全ピンの針先を通して名札を取り付けることができるようにした衣服が提案されている。
このような衣服においては、安全ピンの針先を衣服の生地に刺し通す必要がなく、したがって生地が傷むようなことがない。
【０００５】
【発明が解決しようとする課題】
ところが、前記のテープ付きの衣服においても、名札を取り付ける際には、安全ピンの針先を開き、この針先をそのテープのループ内に通さなければならなず、安全ピンを取り扱う作業としては、衣服の生地に針先を直接突き刺す作業とほとんど変わらない。
【０００６】
安全ピンの針先を開き、この針先をテープのループ内に通したり、あるいは衣服の生地に刺し通す作業には指先の器用な動きが求められ、特に低学年の小学生等の幼年者にとっては、その取り扱いが相当面倒で厄介なものとなるばかりでなく、その作業時に安全ピンの針先を手指等に突き刺して思わぬ怪我を負うような危険が伴い、安全性の点で問題が生じる。
【０００７】
また、この種の名札として、クリップと安全ピンとが備えられていて、そのいずれか一方を用いて名札を衣服に装着することができるようにしたものも提供されているが、安全ピンを用いる場合にはやはりその針先を開き、この針先を衣服の生地に刺し通すか、あるいはテープのループ内に通さなければならず、その取り扱いが面倒で、かつ怪我を負う危険がある。
【０００８】
この発明はこのような点に着目してなされたもので、その目的とするところは、安全ピン付の名札を低学年の小学生等の幼年者であっても、容易にかつ安全に取り付けることができる名札保持部付き衣服を提供することにある。
【０００９】
【課題を解決するための手段】
この発明は、このような目的を達成するために、衣服の一部に名札保持部を設け、この名札保持部に、名札に設けられた安全ピンのシャフト部を、その長手方向の直角の方向から差し込んで脱着可能に係止することが可能な溝状の係止部を設けるようにしたものである。
【００１０】
このような名札保持部付き衣服においては、名札を取り付ける際に、安全ピンの針先を開くことなく、その安全ピンのシャフト部をその長手方向の直角の方向から係止部内に差し込めばよく、したがって名札を低学年の小学生等の幼年者であっても、容易にかつ安全に取り付けることができる。
【００１１】
【発明の実施の形態】
以下、この発明の実施の形態について図面を参照して説明する。
図１には、第１の実施の形態として、小学生用の制服の上衣１を示してあり、この上衣１の胸部分にはウエルト形式の胸ポケット２が設けられている。そしてこの胸ポケット２には、ループ状に折り返した布製のテープ３が取り付けられている。
【００１２】
このテープ３は、図２および図３に示すようにその一端部が胸ポケット２の上部の縁生地２ａの内側に縫着され、そのループ部が胸ポケット２の前側に露出するように取り付けられている。
【００１３】
そしてこのテープ３の前面の下部に、名札保持部を構成するホルダー４がハトメ、カシメ、止めピン、接着剤等の固定手段により取り付けられている。このホルダー４は例えばプラスチックによりかまぼこ状に成形されていて、その円弧面が前面を向く横長の状態に取り付けられている。
【００１４】
そしてこのホルダー４の円弧状の前面には、その長手方向に沿って連続し、かつ弾性的に拡開が可能な溝状の係止部５が形成され、この係止部５の奥行き側の端部は係止部５の溝幅よりもやや大きな内径をなす円形状の定着部５ａとなっている。
【００１５】
図４に示す１０は、学校が指定した所定の名札であり、この名札１０にはその吊り下げ用の安全ピン１１が取り付けられている。この安全ピン１１は、コイルばね部１２と、このコイルばね部１２から延出した一対のシャフト部１３ａ，１３ｂと、その一方のシャフト部１３ａの先端部に取り付けられた掛け金具１４とで構成されている。
【００１６】
そしてこの安全ピン１１の他方のシャフト部１３ｂの先端部が鋭利な針先となっており、この針先が前記掛け金具１４の内側に脱着可能に掛け止められている。なお、前記ホルダー４の係止部５の溝幅は安全ピン１１のシャフト部１３ａ，１３ｂの直径よりもやや小さくなっている。
【００１７】
名札１０を上衣１に取り付ける際には、図４に示すように、安全ピン１１におけるシャフト部１３ｂの先端部の針先が掛け金具１４の内側に掛け止められ、この掛け金具１４により針先が覆われている状態のもとで、安全ピン１１のシャフト部１３ｂをホルダー４の係止部５の溝に沿うように宛てがい、このシャフト部１３ｂをその長手方向と直角の方向に移動させて係止部５内に差し込む。
【００１８】
この差し込みに応じて係止部５の溝が弾性的に僅かに拡開し、シャフト部１３ｂが定着部５ａに移行して定着する。これにより図５に示すように、安全ピン１１を介して名札１０が胸ポケット２の前側に吊り下げられ、その取り付けが完了する。
【００１９】
このように、名札１０の取り付けに当っては、安全ピン１１の針先を開いたり、その針先を上衣１の生地に突き刺すような面倒で厄介な作業が不要であり、したがってその取り付けの作業を幼年者であっても容易に行なうことができる。そして特に安全ピン１１の針先を開くことなく、その針先を掛け金具１４の内側に納めたままの状態で名札１０を取り付けることができるから、その針先で手指を傷つけるような危険がなく、安全に取り扱うことができる。また、衣服１の生地に安全ピン１１の針先を刺し通す必要がないから、その生地を傷めるようなこともない。
【００２０】
図６には、第２の実施の形態を示してあり、この実施の形態は、上衣１にパッチ形式の胸ポケット２が設けられている場合で、このパッチ形式の胸ポケット２の場合には、図７に示すように、ループ状に折り返した布製のテープ３の一端部を胸ポケット２の内側に縫着し、このテープ３のループ部を必要に応じて胸ポケット２の内側から引き出し、このループ部に取り付けられている名札保持部としてのホルダー４を胸ポケット２の前側に露出させることができるようになっている。
【００２１】
図８には、第３の実施の形態を示してあり、この実施の形態は、ポロシャツやワイシャツ等の軽装の衣服１の胸ポケット２の前側に、名札保持部としてのホルダー４が取り付けられたテープ３を縫着してある。
【００２２】
図９には第４の実施の形態を示してあり、この実施の形態は、Ｔシャツやトレーナー等の胸ポケットのない衣服１に名札保持部を設ける場合で、この場合には、図１０および図１１に示すように、布製あるいはプラスチック製のテープ３の表面に名札保持部としてのホルダー４をハトメ、カシメ、止めピン、接着剤等の固定手段により横長に取り付け、このテープ３を衣服１の胸部分に縫着してある。
【００２３】
このような各実施形態においても、ホルダー４の係止部５内に安全ピン１１のシャフト部１３ｂをその長手方向と直角の方向に移動させて差し込むことにより、安全ピン１１の針先を開いたり、その針先を衣服１の生地に突き刺すことなく、容易にかつ安全に名札１０を衣服１に取り付けることができる。
【００２４】
なお、名札保持部を構成するホルダー４としては、その形状を種々変形することが可能で、例えば図１２に示すように、円形状の部材でホルダー４を構成し、このホルダー４の表面に溝状の係止部５を形成するような場合であってもよく、またその係止部５として、図１３に示すようにＬ形に屈曲するような形状とすることも可能である。さらに図１４に示すように、フック状のホルダー４で名札保持部を構成し、そのフックの内側を係止部とするような場合であってもよい。そしてこのような名札保持部を衣服の生地に直接取り付けるようにしても何ら差し支えない。
【００２５】
【発明の効果】
以上説明したようにこの発明によれば、衣服に名札を取り付ける際に、安全ピンの針先を開いたり、その針先を衣服の生地に突き刺すような面倒で厄介な作業が不要であり、したがってその取り付けの作業を幼年者であっても容易にかつ安全に行なえ、また名札の取り外しも同様に容易にかつ安全に行なうことができる。そして衣服の生地に安全ピンの針先を刺し通す必要がないから、その生地を傷めることがない利点がある。
【図面の簡単な説明】
【図１】この発明の第１の実施の形態に係る衣服の正面図。
【図２】その衣服の要部を拡大して示す斜視図。
【図３】その要部の側面図。
【図４】名札を衣服に取り付ける前の状態を示す正面図。
【図５】名札を衣服に取り付けた状態を示す正面図。
【図６】この発明の第２の実施の形態に係る衣服の正面図。
【図７】その衣服の要部を拡大して示す斜視図。
【図８】この発明の第３の実施の形態に係る衣服の正面図。
【図９】この発明の第４の実施の形態に係る衣服の正面図。
【図１０】その衣服に取り付けるホルダー正面図。
【図１１】そのホルダーの側面図
【図１２】ホルダーの変形例を示す正面図。
【図１３】係止部の変形例を示す側面図。
【図１４】ホルダーのさらに異なる変形例を示す側面図。
【符号の説明】
１…衣服
２…胸ポケット
３…テープ
４…ホルダー
５…係止部
１０…名札
１１…安全ピン
１３ａ，１３ｂ…シャフト部
【図１】
0003789990.tif 000002
【図２】
0003789990.tif 000003
【図３】
0003789990.tif 000004
【図４】
0003789990.tif 000005
【図５】
0003789990.tif 000006
【図６】
0003789990.tif 000007
【図７】
0003789990.tif 000008
【図８】
0003789990.tif 000009
【図９】
0003789990.tif 000010
【図１０】
0003789990.tif 000011
【図１１】
0003789990.tif 000012
【図１２】
0003789990.tif 000013
【図１３】
0003789990.tif 000014
【図１４】
0003789990.tif 000015